(57)【特許請求の範囲】
【請求項１】
輝度または色を個別に制御可能な複数のブロックから構成される光源装置であって、
各ブロックに、複数の白色発光素子、複数の赤色発光素子、複数の緑色発光素子、及び、複数の青色発光素子を含む複数の発光素子が設けられており、
白色発光素子が各ブロックの端部の四隅に位置し、
かつ、４つの緑色発光素子が互いに隣接して各ブロックの中央部に位置し、
かつ、緑色発光素子が各ブロックの端部に位置せず、
かつ、赤色発光素子と青色発光素子が互いに隣接して各ブロックの端部に位置するように、
各ブロックの前記複数の発光素子がマトリクス状に配列されている
ことを特徴とする光源装置。
【請求項２】
緑色発光素子が赤色発光素子の光度よりも高い光度で発光し、
かつ、赤色発光素子が青色発光素子の光度よりも高い光度で発光するように、
各発光素子が駆動される
ことを特徴とする請求項１に記載の光源装置。
【請求項３】
各ブロックの前記複数の発光素子は、マトリクス状に配列された複数のグループからなり、
前記グループは、マトリクス状に配列された、１つの白色発光素子、１つの赤色発光素子、１つの緑色発光素子、及び、１つの青色発光素子の４つの発光素子からなる
ことを特徴とする請求項１または２に記載の光源装置。
【請求項４】
各ブロックの前記複数の発光素子は、２×２のマトリクス状に配列された４つのグループからなる
ことを特徴とする請求項３に記載の光源装置。
【請求項５】
前記光源装置は、液晶パネルの背面側に配置される直下型のバックライト装置である
ことを特徴とする請求項１〜４のいずれか１項に記載の光源装置。
【請求項６】
液晶パネルと、請求項１〜５のいずれか１項に記載の光源装置と、を有する液晶表示装置。
【請求項７】
請求項６に記載の液晶表示装置の制御方法であって、
入力された画像信号に基づいて、前記光源装置の輝度または色をブロック毎に制御するステップと、
前記画像信号に基づいて、前記液晶パネルの透過率をブロック毎に制御するステップと、
を有することを特徴とする液晶表示装置の制御方法。
【発明の詳細な説明】
【技術分野】
【０００１】
本発明は、光源装置に関する。
【背景技術】
【０００２】
近年、高精細、広色域、低消費電力、の表示装置として液晶表示装置（Ｌｉｑｕｉｄ  Ｃｒｙｓｔａｌ  Ｄｉｓｐｌａｙ；ＬＣＤ）が知られている。
液晶表示装置において所望の色温度の表示を行う方法は２つある。１つは、白色光源を用いてバックライト装置を構成し、画像信号処理により色温度を調整する方法である。もう１つは、赤色、緑色、青色など複数の原色光源を用いてバックライト装置を構成し、これらの原色光源を所望の色温度を実現する光度比で点灯して加法混色させる方法である。
【０００３】
上記２つの方法のうち、白色光源のみを用いてバックライト装置を構成する方法は、発光効率に優れるが表示色域が狭くなる。一方、複数の原色光源を用いてバックライト装置を構成する方法は、表示色域を広くできるが各光源の発光効率が低いため低消費電力化が困難である。
そこで、ローカルディミング制御によりバックライト装置の消費電力を低減することが考えられる。具体的には、バックライト装置の光源を、画面の領域を分割することにより得られる複数のブロック（領域）毎に区分し、ブロック毎に個別に駆動することにより消費電力を削減することが考えられる。また、このようなローカルディミング制御を利用すれば、画像のコントラストを向上させることができる（特許文献１）。
また、特許文献２には、複数の光源が等間隔で配列され、配列方向に隣接する光源同士では発光色が異なり、複数の光源から発せられた光を混合して照明光を出射するバックライト装置が開示されている。特許文献２に開示のバックライト装置では、発光色が照明光の発光色である少なくとも１つの光源が、側壁に最も近い光源となるように配置されている。
【先行技術文献】
【特許文献】
【０００４】
【特許文献１】特開２００９−１７５７４０号公報
【特許文献２】特開２００５−２４３３４７号公報
【発明の概要】
【発明が解決しようとする課題】
【０００５】
しかしながら、複数の原色ＬＥＤを用いて白色光を実現するバックライト装置をローカルディミング制御することにより、画像のコントラストを向上させると、画像に意図せぬ色付きが生じてしまう。例えば、１つのブロックの光源を単独で点灯させた場合、該ブロックの縁部の原色ＬＥＤからの光は、該原色ＬＥＤの外側に発光している他色のＬＥＤが無いため、混色し難い。そして、上記縁部の原色ＬＥＤからの光は周囲のブロック（非点灯ブロック）に漏れるため、非点灯ブロックに意図しない色付きが生じてしまう。
また、特許技術２に開示の技術は、白色光源を常時点灯させて側壁近辺の色ムラを低減する技術である。そのため、特許文献２に開示の技術では、表示色域を優先させるために側壁付近の白色光源の光度を低下させると輝度ムラが発生してしまうという課題がある。また、ローカルディミング制御可能なバックライト装置は想定されていないため、１つのブロックの光源を単独で点灯させた場合に、非点灯ブロックに意図しない色付きが生じてしまうという課題は想定されていない。
【０００６】
本発明は、ブロックの周囲に意図せぬ色付きが生じることを抑制し、且つ、色ムラや輝度ムラを抑制することのできる光源装置を提供することを目的とする。
【課題を解決するための手段】
【０００７】
本発明の光源装置は、
輝度または色を個別に制御可能な複数のブロックから構成される光源装置であって、
各ブロックに、複数の白色発光素子、複数の赤色発光素子、複数の緑色発光素子、及び、複数の青色発光素子を含む複数の発光素子が設けられており、
白色発光素子が各ブロックの端部の四隅に位置し、
かつ、４つの緑色発光素子が互いに隣接して各ブロックの中央部に位置し、
かつ、緑色発光素子が各ブロックの端部に位置せず、
かつ、赤色発光素子と青色発光素子が互いに隣接して各ブロックの端部に位置するように、
各ブロックの前記複数の発光素子がマトリクス状に配列されている
ことを特徴とする。
【発明の効果】
【０００８】
本発明によれば、ブロックの周囲の意図せぬ色付きが生じることを抑制し、且つ、色ムラや輝度ムラを抑制することができる。
【図面の簡単な説明】
【０００９】
【図１】実施例１に係る画像表示装置の機能構成の一例を示すブロック図
【図２】実施例１に係るＬＥＤ光源部におけるＬＥＤの配置の一例を示す図
【図３】実施例１に係る画像表示装置の動作の一例を示すフローチャート
【図４】入力された画像信号及び各ブロックの発光輝度の一例を示す図
【図５】実施例２に係るＬＥＤ光源部におけるＬＥＤの配置の一例を示す図
【図６】実施例３に係るＬＥＤ光源部におけるＬＥＤの配置の一例を示す図
【図７】実施例３に係るＬＥＤ光源部におけるＬＥＤの配置の一例を示す図
【発明を実施するための形態】
【００１０】
＜実施例１＞
以下、本発明の実施例１について説明する。
図１は、実施例１に係る画像表示装置１００（液晶表示装置）の機能構成の一例を示すブロック図である。本実施例に係る画像表示装置１００は、ローカルディミング制御可能な構成を有する。具体的には、画像表示装置１００は、画面の領域を複数に分割することにより得られるブロック（領域）毎にバックライト装置の輝度（発光輝度）や色（発光色）の制御、画像処理などを実行する。
【００１１】
入力部１１０は、外部から画像信号を入力し、統計量取得部１１１へ伝送する。
統計量取得部１１１は、伝送された画像信号から、統計量を取得する。具体的には、統計量取得部１１１は、ブロック毎に、そのブロックに表示する画像信号の統計量（輝度ヒストグラムなど）を取得し、補正値生成部１１２と輝度ゲイン生成部１１５へ伝送する。
【００１２】
補正値生成部１１２は、ブロック毎に、統計量取得部１１１で取得されたそのブロックの統計量を用いて、面輝度（バックライト装置からの光の輝度や色）を算出する。そして、補正値生成部１１２は、ブロック毎に、上記算出されたそのブロックの面輝度を用いて、補正値を算出し、画像処理部１１３へ伝送する。例えば、画像信号をバックライト装置からの光の輝度や色が考慮された画像信号に変換するための補正値が算出される。具体的には、バックライト装置からの光の輝度や色の変化による画像の最明部の輝度（表示輝度）や色（表示色）の変化を抑制するヒストグラム圧縮やヒストグラム伸長を行うための補正値が算出される。
なお、補正値生成部１１２は、ブロック毎に、そのブロックの面輝度のみを用いて補正値を算出してもよいし、ブロック毎に、そのブロックとその周囲のブロックの面輝度を用いて補正値を算出してもよい。ブロック毎に、そのブロックとその周囲のブロックの面輝
度を用いて補正値を算出すれば、より高精度な画像処理（他のブロックから漏れた光を考慮した画像処理）を行うことができる。
【００１３】
画像処理部１１３は、ブロック毎に、補正値生成部１１２で算出されたそのブロックの補正値を用いて、画像信号に画像処理を施す。
液晶表示部１１４は、複数の液晶素子を有する液晶パネルである。液晶表示部１１４は、画像処理部１１３で画像処理が施された画像信号に基づいて、各液晶素子の透過率を制御する。即ち、本実施例では、入力された画像信号に基づいて、液晶表示部１１４の透過率がブロック毎に制御される。
【００１４】
輝度ゲイン生成部１１５は、ブロック毎に、統計量取得部１１１で取得された統計量から、そのブロックの画像信号の平均輝度を算出する。そして、輝度ゲイン生成部１１５は、ブロック毎に、上記算出されたそのブロックの平均輝度に応じて、発光輝度を算出する。
ＬＥＤ駆動回路１１６は、ブロック毎に、輝度ゲイン生成部１１５で算出されたそのブロックの発光輝度で、ＬＥＤ光源部１１７（バックライト装置）を発光させる。即ち、本実施例では、入力された画像信号に基づいて、ＬＥＤ光源部１１７の輝度（発光輝度）または色（発光色）がブロック毎に制御される。具体的には、明るい画像が表示されるブロックの発光輝度に対し、暗い画像が表示されるブロックの発光輝度が相対的に低くされる。
【００１５】
ＬＥＤ光源部１１７は、白色光と複数の原色光（赤色光、緑色光、青色光など）の混色により白色光を発するバックライト装置（ＬＥＤアレイ基板）である。
バックライト装置からの光が液晶パネルを透過することにより、グラフィック、文字、動画などが表示される。
【００１６】
図２は、本実施例に係るＬＥＤ光源部１１７（バックライト装置）におけるＬＥＤの配置の一例を示す図である。図２に示すように、ＬＥＤ光源部１１７は、マトリクス状に配列された複数のＬＥＤを有する直下型ＬＥＤバックライト装置である。
上述したように、本実施例に係るＬＥＤ光源部１１７は、ローカルディミング制御可能な構成を有する。即ち、本実施例に係るＬＥＤ光源部１１７は、輝度（発光輝度）または色（発光色）を個別に制御可能な複数のブロックから構成される。
図２において、一点鎖線で区切られた領域はブロックを示す。図２の例では、ＬＥＤ光源部１１７は、８（水平方向）×４（垂直方向）の合計３２個のブロックから構成される。但し、ブロック数はこれに限らない。ブロック数は、２×１の合計２個、１０×３の合計３０個、１×８の合計８個などであってもよい。
【００１７】
図２に示すように、各ブロックには、複数の白色ＬＥＤ３００（Ｗ）及び複数の原色ＬＥＤ（赤色ＬＥＤ３０１（Ｒ）、青色ＬＥＤ３０２（Ｂ）、緑色ＬＥＤ３０３（Ｇ））を含む複数のＬＥＤが設けられている。
各ブロックに、白色ＬＥＤ３００、及び、混色により白色光を実現可能な複数の原色ＬＥＤを配置することで、各ブロックの発光輝度を、ホワイトバランスを保ちながら変化させることが可能となる。その結果、ＬＥＤ光源部１１７からの光の色ムラや輝度ムラを抑制することができる。
【００１８】
また、図２に示すように、各ブロックの複数のＬＥＤは、四隅に白色ＬＥＤが位置するようにマトリクス状に配列されている。
具体的には、マトリクス状に配列された、１つ以上の白色ＬＥＤ及び複数の原色ＬＥＤにより１つのグループが構成されている。そして、各ブロックの複数のＬＥＤは、四隅に白色ＬＥＤが位置するようにマトリクス状に配列された複数のグループにより構成されて
いる。
図２の例では、１つのグループは、マトリクス状に配列された、１つの白色ＬＥＤ３００、１つの赤色ＬＥＤ３０１、１つの青色ＬＥＤ３０２、及び、１つの緑色ＬＥＤ３０３の４つのＬＥＤにより構成されている。そして、各ブロックの複数のＬＥＤは、四隅に白色ＬＥＤが位置するように２×２のマトリクス状に配列された４つのグループにより構成されている。
このように、四隅に白色ＬＥＤを配置したことにより、ブロックの周囲に意図せぬ色付きが生じることを抑制することができる。具体的には、上記四隅のＬＥＤからの光は、他のＬＥＤからの光と最も混色し難い。本実施例では、他のＬＥＤからの光と最も混色し難い位置である四隅に白色ＬＥＤを配置したことにより、ブロックの周囲に漏れる光の色を白色に近づけることができる。その結果、１つのブロックの複数のＬＥＤを単独で点灯させた場合などにおいて、ブロックの周囲に意図せぬ色付きが生じることを抑制することができる。
【００１９】
なお、本実施例では、１つのグループが、４つのＬＥＤにより構成されるものとしたが、この構成に限らない。１つのグループは、４つ以上のＬＥＤにより構成されていてもよい。例えば、１つのグループは、複数の白色ＬＥＤを含んでいてもよい。１つのグループは、赤色ＬＥＤ、青色ＬＥＤ、及び、緑色ＬＥＤ以外の原色ＬＥＤ（例えば黄色ＬＥＤ）を含んでいてもよい。
なお、本実施例では、各ブロックの複数のＬＥＤが４つのグループにより構成されるものとしたが、この構成に限らない。グループの数は４つより多くても少なくてもよい。各ブロックの複数のＬＥＤは、複数のグループにより構成されていなくてもよい（１つのグループにより構成されてもよい）。
なお、本実施例では、各ブロックの複数の原色ＬＥＤが、４つの赤色ＬＥＤ、４つの緑色ＬＥＤ、及び、４つの青色ＬＥＤを含む構成としたが、この構成に限らない。各ブロックの赤色ＬＥＤ、緑色ＬＥＤ、及び、青色ＬＥＤの数は、それぞれ、４つより多くても少なくてもよい。また、各ブロックの複数の原色ＬＥＤは、赤色ＬＥＤ、青色ＬＥＤ、及び、緑色ＬＥＤ以外の原色ＬＥＤ（例えば黄色ＬＥＤ）を含んでいてもよい。
【００２０】
図３は、本実施例に係る画像表示装置１００の動作の一例を示すフローチャートである。
図４（Ａ）は、画像表示装置１００に入力された画像信号の一例を示す図である。具体的には、図４（Ａ）は、暗い背景Ａに明るい丸状の物体Ｂがある画像の信号を示す。
図４（Ｂ）は、図４（Ａ）の画像信号が入力された場合の各ブロックの発光輝度の一例を示す図である。
図４（Ａ），４（Ｂ）の例では、図２と同様に、画面の領域が８×４の合計３２個のブロックに分割されている。
以下、図３と図４（Ａ），４（Ｂ）を用いて、画像表示装置１００の動作を説明する。
【００２１】
まず、入力部１１０が、入力された画像信号をメモリに書き込む（Ｓ１５０）。
次に、統計量取得部１１１が、入力された画像信号（メモリに書き込まれた画像信号）を、ブロック毎に分割してメモリから読み出す（Ｓ１５１）。そして、統計量取得部１１１が、読み出した各ブロックの画像信号の統計量をそれぞれ取得する。
Ｓ１５１で取得された画像信号のうち、４つのブロック２０２の画像信号は、物体Ｂのみを含む画像信号である。
６つのブロック２００の画像信号は、物体Ｂと背景Ａをそれぞれ約１／２含む画像信号である。
４つのブロック２０１の画像信号は、物体Ｂを約１/８含み、背景Ａを約７/８含む画像信号である。
そして、１６のブロック２５０の画像信号は、背景Ａのみを含む画像信号である。
【００２２】
統計量取得部１１１で各ブロックの統計量が取得されると、補正値生成部１１２が、ブロック毎に、そのブロック内の明るい部分と暗い部分（明るい部分と暗い部分の量）を検出する。そして、統計量取得部１１１は、その検出結果から、ブロック毎の面輝度及び補正値を算出する。
画像処理部１１３では、統計量取得部１１１で算出された補正値を用いて、ブロック毎に画像信号に画像処理を施し、液晶表示部１１４へ出力する。
液晶表示部１１４では、入力された各ブロックの画像信号（画像処理が施された画像信号）に基づいて、各液晶素子の透過率が制御される。
以上の処理により、液晶表示部１１４の透過率が、バックライト装置からの光の輝度や色が考慮された画像信号に基づく透過率とされる。
【００２３】
Ｓ１５１の次に、輝度ゲイン生成部１１５が、Ｓ１５１で取得された各ブロックの統計量から、ブロック毎の画像信号の平均輝度を算出する。そして、輝度ゲイン生成部１１５は、上記算出した各ブロックの平均輝度から、ＬＥＤ駆動回路１１６の各ブロックの発光輝度を算出し、その算出結果（各ブロックの発光輝度）をＬＥＤ駆動回路１１６に伝送する（Ｓ１５２）。
そして、ＬＥＤ駆動回路１１６が、各ブロックの発光輝度がＳ１５２で算出された値となるように、ＬＥＤ光源部１１７を制御する（Ｓ１５３）。それにより、ＬＥＤ光源部１１７は、ブロック毎に、そのブロックの画像信号に基づく輝度で発光する。
その結果、図４（Ｂ）に示すように、明るい物体Ｂの領域が多いブロックの方が、少ないブロックよりも発光輝度が高くなるように、ＬＥＤ光源部１１７の各ブロックが発光する。例えば、図４（Ｂ）では、物体Ｂのみを含むブロック２０２の発光輝度は高くされ、背景Ａのみを含むブロック２５０は非点灯とされる。
【００２４】
Ｓ１５３の次に、入力部１１０が、画像信号の入力がＯＦＦされたか（なくなったか）を判断する（Ｓ１５４）。画像信号の入力がＯＦＦされた場合は（Ｓ１５４：ＹＥＳ）、Ｓ１５５へ処理が進められ、ＯＦＦされていない場合は（Ｓ１５４：ＮＯ）、Ｓ１５０へ処理が戻される。
Ｓ１５５では、入力部１１０が、画像表示装置１００の電源がＯＦＦされたか否かを判断する。画像表示装置１００の電源がＯＦＦされた場合は（Ｓ１５５：ＹＥＳ）、本フローが終了され、ＯＦＦされていない場合は（Ｓ１５５：ＮＯ）、Ｓ１５０へ処理が戻される。
【００２５】
以上述べたように、本実施例によれば、ブロックの周囲の意図せぬ色付きが生じることを抑制し、且つ、色ムラや輝度ムラを抑制することができる。
具体的には、本実施例のバックライト装置はローカルディミング制御可能（ブロック毎に発光輝度や発光色を制御可能）な構成を有する。そして、バックライト装置の各ブロックには、複数の白色ＬＥＤと混色により白色光を実現可能な複数の原色ＬＥＤが配置されている。それにより、各ブロックの発光輝度を、ホワイトバランスを保ちながら変化させることが可能となる。その結果、バックライト装置からの光の色ムラや輝度ムラを抑制することができる。
また、本実施例では、各ブロックの複数のＬＥＤが、他のＬＥＤからの光と最も混色し難い位置である四隅に白色ＬＥＤが位置するように、マトリクス状に配列されている。それにより、ブロックの周囲に漏れる光の色は白色に近づくため、１つのブロックの複数のＬＥＤを単独で点灯させた場合などにおいて、ブロックの周囲に意図せぬ色付きが生じることを抑制することができる。また、上記色付きの発生が抑制されることにより、色ムラや輝度ムラをより抑えることができる。
【００２６】
＜実施例２＞
以下、本発明の実施例２について説明する。
実施例２では、実施例１で述べた効果を得るとともに薄型化が可能なバックライト装置の構成について説明する。なお、画像表示装置（液晶表示装置）の大まかな構成は実施例１と同様のため、その説明は省略する。
【００２７】
図５は、本実施例に係るＬＥＤ光源部３５０（バックライト装置）におけるＬＥＤの配置の一例を示す図である。
本実施例では、図５に示すように、各ブロックの複数の原色ＬＥＤは、複数の赤色ＬＥＤ、複数の緑色ＬＥＤ、及び、複数の青色ＬＥＤを含む。そして、各ブロックの複数のＬＥＤは、緑色ＬＥＤが中央部に集中するように、マトリクス状に配列されている。
具体的には、各グループの緑色ＬＥＤ３０３がブロックの中心部側に配置されている。
それ以外の構成は、実施例１と同様であるため、その説明は省略する。
【００２８】
白色ＬＥＤ及び複数の原色ＬＥＤを用いて白色光を得るバックライト装置を薄型化した場合、ＬＥＤからの光を拡散させる空間（拡散空間）が小さくなる。そのため、発光面の一部からの光が、青みがかった白色や赤みがかった白色の光となり、色ムラが発生することがある。
このような色むらを抑制し、発光面内で均一な白色光を得るには、複数の原色光源のそれぞれの光度比を調整する必要がある。一般に、Ｒ（赤色光の光度）：Ｇ（緑色光の光度）:Ｂ（青色光の光度）を３：７：１程度とすれば、それらの光（赤色光、緑色光、青色
光）が効率良く混色することが知られている。そのため、赤色ＬＥＤ、緑色ＬＥＤ、及び、青色ＬＥＤをそのような光度比で発光させれば、効率良く混色が行われ、バックライト装置を薄型化した場合であっても発光面内で均一な白色光を得ることが可能となる（上記色ムラを抑制できる）。
【００２９】
例えば、赤色ＬＥＤの光度を１２５ｍｃｄにした場合、上記比率を達成するためには、
緑色ＬＥＤの光度＝１２５×７／３＝２９１．６ｍｃｄ、
青色ＬＥＤの光度＝１２５×１／３＝４１．６ｍｃｄ
とする必要がある。しかしながら、緑色ＬＥＤ３０３の光度は弱いため、１つの緑色ＬＥＤ３０３を上記光度で発光させることはできない。本実施例は、複数の緑色ＬＥＤ３０３をブロックの中央部に集中させることにより、複数の緑色ＬＥＤ３０３により上記光度の緑色光を実現することができる。その結果、１つのブロック内で、複数の原色光（赤色光、緑色光、及び、青色光）が効率良く混色され、バックライト装置を薄型化した場合に生じる色ムラを抑制することができる。
【００３０】
以上述べたように、本実施例によれば、実施例１と同様の構成により、ブロックの周囲の意図せぬ色付きが生じることを抑制し、且つ、色ムラや輝度ムラを抑制することができる。更に、本実施例では、複数の緑色ＬＥＤがブロックの中央部に集中するように配置したことにより、複数の原色光の混色を効率良く行うことができる。その結果、拡散空間を小さくすることが可能となり、バックライト装置を薄型化することが可能となる。
【００３１】
＜実施例３＞
以下、本発明の実施例３について説明する。
本実施例では、１ブロックに含まれるグループの数が実施例１と異なるバックライト装置の構成について説明する。なお、画像表示装置（液晶表示装置）の大まかな構成は実施例１と同様のため、その説明は省略する。
【００３２】
図６（Ａ），６（Ｂ）は、本実施例に係るＬＥＤ光源部４００，４１０（バックライト装置）におけるＬＥＤの配置の一例を示す図である。
図６（Ａ），６（Ｂ）は、１つのブロックに、図１のグループが６つ設けられている場
合の例である。具体的には、図６（Ａ）は、各ブロックの複数のＬＥＤが、３×２のマトリクス状に配列された６つのグループからなる場合の例である。図６（Ｂ）は、各ブロックの複数のＬＥＤが、２×３のマトリクス状に配列された６つのグループからなる場合の例である。
図６（Ａ），６（Ｂ）の例でも、実施例１と同様に、各ブロックの複数のＬＥＤは、四隅に白色ＬＥＤ３００が位置するように、マトリクス状に配列されている。
また、マトリクス状に配列された複数のグループのうち、四隅に位置しないグループの複数のＬＥＤは、白色ＬＥＤ３００が外側に位置するように配列されている。具体的には、図６（Ａ）の位置（２（水平方向），１（垂直方向）），（２，２）のグループの複数のＬＥＤは、白色ＬＥＤ３００が外側に位置するように配列されている。図６（Ｂ）の位置（１（水平方向），２（垂直方向）），（２，２）のグループの複数のＬＥＤは、白色ＬＥＤ３００が外側に位置するように配列されている。このように、白色ＬＥＤ３００を外側に配置することにより、ブロックから漏れる光のより多くを白色光とすることができ、ブロックの周囲の意図せぬ色付きが生じることをより抑制し、且つ、色ムラや輝度ムラをより抑制することができる。
【００３３】
以上述べたように、本実施例によれば、実施例１と同様の構成により、ブロックの周囲の意図せぬ色付きが生じることを抑制し、且つ、色ムラや輝度ムラを抑制することができる。更に、本実施例では、マトリクス状に配列された複数のグループのうち、四隅に位置しないグループの複数のＬＥＤを、白色ＬＥＤが外側に位置するように配列させたことにより、上記色付き、色ムラ、及び、輝度ムラをより抑えることができる。
【００３４】
なお、ＬＥＤ光源部４００，４１０（バックライト装置）におけるＬＥＤは、図７（Ａ），（Ｂ）に示すように配置されていてもよい。
図７（Ａ）は、各ブロックの位置（２，２）のグループが図６（Ａ）と異なる。図７（Ｂ）は、各ブロックの位置（２，２）のグループが図６（Ｂ）と異なる。具体的には、図６（Ａ），６（Ｂ）では、各ブロックの位置（２，２）のグループの白色ＬＥＤ３００が他のブロックの白色ＬＥＤ３００と隣接するように配置されている。一方、図７（Ａ），７（Ｂ）の例では、白色ＬＥＤ３００が他の白色ＬＥＤ３００と隣接しないように配置されている。
このような配置とすることにより、白色ＬＥＤ３００が他の白色ＬＥＤ３００と隣接するように配置される場合に比べ、白色ＬＥＤ３００からの光の偏りを低減することができ、色ムラや輝度ムラをより低減することができる。
【符号の説明】
【００３５】
１１７，３５０，４００，４１０  ＬＥＤ光源部
２００，２０１，２０２，２５０  ブロック
３００  白色ＬＥＤ
３０１  赤色ＬＥＤ
３０２  青色ＬＥＤ
３０３  緑色ＬＥＤ
【図１】
0005950520.tif 000002
【図２】
0005950520.tif 000003
【図３】
0005950520.tif 000004
【図４】
0005950520.tif 000005
【図５】
0005950520.tif 000006
【図６】
0005950520.tif 000007
【図７】
0005950520.tif 000008